(57)【特許請求の範囲】
【請求項１】
顕微鏡の光路上における像形成位置に写真マスクを挿脱する写真マスクスライダ装置において、
前記写真マスクを保持するスライダと、
このスライダを顕微鏡本体内の前記像形成位置へガイドすると共に該スライダが着脱自在に設けられるガイド部材と、
このガイド部材に保持された前記スライダを所定位置で位置決めする係止部材と、
前記ガイド部材の前記スライダの挿入口に対応する位置にあって、顕微鏡本体に設けられる操作窓とを具備し、
前記操作窓を介して前記スライダを前記ガイド部材に挿脱可能としたことを特徴とする顕微鏡の写真マスクスライダ装置。
【請求項２】
前記スライダが前記ガイド部材に対して挿脱される際に、前記係止部材とは力量の異なる抗力を該スライダに対して及ぼす第２の係止部材を備えたことを特徴とする請求項１記載の顕微鏡の写真マスクスライダ装置。
【請求項３】
さらに、前記顕微鏡本体に設けられた前記操作窓の近傍に配設した磁石と、前記スライダに設けられ、前記磁石と吸着する蓋体とを備えたことを特徴とする請求項１記載の顕微鏡の写真マスクスライダ装置。
【発明の詳細な説明】
【０００１】
【産業上の利用分野】
本発明は、顕微鏡の光路上における結像位置に写真マスクを挿脱する写真マスクスライダ装置に関する。
【０００２】
【従来の技術】
顕微鏡の光学系で拡大された標本像を写真撮影する写真撮影装置を備えた顕微鏡では、撮影領域を示す枠やスケール等が描画されたガラス板、液晶板等の写真マスクを光路中の焦点位置に配置することがある。
【０００３】
図８は、写真マスクによるピントずれの防止を図った特開昭５７−１９６２０５号公報に開示された顕微鏡写真接眼レンズの構成を示している。同図（ａ）は焦点板が入れられていない状態を示し、同図（ｂ）は焦点板が入れられた状態を示している。接眼レンズ１を支持した接眼レンズ枠２に、中枠３をバネ４で接眼レンズ側へ付勢した状態で光軸方向へ進退自在に嵌合せしめ、その中枠３でフィールドレンズ５を支持している。中枠３の端面が当接する接眼レンズ枠２の段差部の近傍に開口６を形成し、その開口６から中枠３の端面と接眼レンズ枠２の段差部との間にテーパ面が当たるようにして焦点板枠７を挿入している。
【０００４】
従って、焦点板枠７を光路上に挿入しない状態ではフィールドレンズ５は中枠３がバネ４に付勢されて段差部に当接した位置に固定され、焦点板枠７を光路上に挿入した状態ではフィールドレンズ５は焦点板枠７のテーパによりバネ力に抗してそのテーパによる変位分だけ接眼レンズから離れた位置に固定される。すなわち、焦点板枠７の挿入操作に連動して焦点板枠７のテーパ面によりレンズ位置がずれて光路長が補正される。
【０００５】
図９は、観察光学系と撮影光学系とを備えた光学顕微鏡の光学的配置を示している。標本に対向配置された対物レンズ１０からの光束を複数方向に光束を分岐する光路切換素子１１に入射する。光路切換素子１１は、半透過性のミラー１１ａ，１１ｃと素通し部１１ｂとを有していて、操作把子１２により切換え可能になっている。ミラー１１ａが光軸上に配置されたときは光束を撮影光学系のフィルム面１３と観察光学系とに分岐し、素通し部１１ｂが光軸上に配置されたときは観察光学系にのみ入射し、ミラー１１ｃが光軸上に配置されたときは他の撮影光学系のフィルム面１４と観察光学系とに分岐する。光路切換素子１１を透過した光が入射する観察光路上の結像位置に、焦点板１５，光路長補正用のダミーガラス板１６及び焦点板１７が光路上に選択的に挿脱可能に配置されている。これら焦点板１５，１７、ダミーガラス板１６を、操作把子１２に連結部材１８を介して支持することにより、操作把子１２による光路切換素子１１の移動に連動して対応する焦点板１５，１７、ダミーガラス板１６が観察光路上に挿入されるようになっている。
従って、光路の切換えと同時に焦点板（写真マスク）とダミーガラス板１６が切り換えられるようになっている。
【０００６】
【発明が解決しようとする課題】
しかしながら、上述した図８に示す顕微鏡写真接眼レンズは、焦点板枠７のテーパ面を利用してフィールドレンズ５の位置をずらしていることから、レンズが移動することによる光学性能の劣化が予想される。また、焦点板枠７の交換作業が煩雑で操作性を低下させる要因となっていた。
【０００７】
上述した図９に示す光学顕微鏡は、焦点板１５，１７の光路に対する挿脱が光路切換素子１１と連動しており、焦点板１５，１７と光路切換素子１１との調整が困難であるという問題がある。また、焦点板１５，１７が汚れた場合には、そのクリーニングが困難でありメンテナンスが大変であった。
【０００８】
本発明は、以上のような実情に鑑みてなされたもので、写真マスクの挿脱による光学性能の劣化が少なく、写真マスクを簡単に交換可能で、メンテナンス性に優れた顕微鏡の写真マスクスライダ装置を提供することを目的とする。
【０００９】
【課題を解決するための手段】
本発明は、顕微鏡の光路上における像形成位置に写真マスクを挿脱する写真マスクスライダ装置において、前記写真マスクを保持するスライダと、このスライダを顕微鏡本体内の前記像形成位置へガイドすると共に該スライダが着脱自在に設けられるガイド部材と、このガイド部材に保持された前記スライダを所定位置で位置決めする係止部材と、前記ガイド部材の前記スライダの挿入口に対応する位置にあって、顕微鏡本体に設けられる操作窓とを具備し、前記操作窓を介して前記スライダを前記ガイド部材に挿脱可能としたことを特徴とする。
【００１１】
【作用】
本発明によれば、写真マスクを保持したスライダが顕微鏡本体外より操作窓から顕微鏡本体に入れられ、ガイド部材を介して顕微鏡の像形成位置へ挿入される。例えば、スライダに写真マスクとダミーガラスとを保持させて係止部材で写真マスクとダミーガラスとを光路上に選択的に位置決めするようにすることができる。スライダ、係止部材、ガイド部材により写真マスク等を交換することができるので、他のレンズの移動が無く、光学性能を劣化させることもなくなる。また、写真マスクを保持したスライダを顕微鏡本体外へ容易に取り出すことができるため、写真マスクのクリーニング及び交換を簡単に行うことができる。
【００１３】
【実施例】
以下、本発明の実施例について説明する。
図１は、本発明のスライダ装置を適用した倒立型光学顕微鏡の実施例を示している。この倒立型光学顕微鏡は、顕微鏡本体部１の上面に標本Ｓが載置されるステージ２２が設けられている。ステージ２２の下方の凹部に対物レンズ２３が配置されている。顕微鏡本体部１の内部には、対物レンズ２３の光軸上に分割プリズム２４、及び反射プリズム２５が直列に配置されている。反射プリズム２５は分割プリズム２４を透過した光を机上面と平行な方向へ反射する。反射プリズム２５で反射された光の光軸上に一次像２６が形成される。この一次像２６をリレーレンズ系２７、及び反射プリズム２８で観察部２９へ導いている。観察部２９は中間鏡筒３１と、対物レンズ２３の像を拡大観察する接眼レンズ３２とから構成されている。
【００１４】
一方、顕微鏡本体部１の上面には、照明部３３が取り付けられており、照明部３３の光源３４から発した照明光を標本Ｓの上面に照射する照明光学系が形成されている。
【００１５】
顕微鏡本体部１における一次像２６が形成される場所に、光路上に写真マスク及びダミーガラス板を選択的に挿脱するスライダ装置が設置されている。このスライダ装置は、図２に示すスライダ受け部４１と、図３に示すスライダ４２とから構成される。
【００１６】
スライダ受け部４１は、断面長方形の中空パイプからなる受け部本体４３と後述する係止機構とから構成されている。受け部本体４３は、一方の側面が上端及び下端に側壁を僅かに残した状態でその長手方向に沿って切り落とされ側面開口４４が形成されている。そして、受け部本体４３の中空部をスライダ摺動路としている。また、受け部本体４３の他方の側面には、一方の端部に寄った位置に光路穴４５が形成されている。受け部本体４３の上面には所定の大きさの開口が形成されており、板バネ４６の基端部がその開口の周辺部にビス４７で固定されている。受け部本体上面の開口位置に相当する板バネ４６の先端部にはクリックボール４８が固着されている。これら板バネ４６，クリックボール４８から上記係止機構の一部を構成している。受け部本体４３の下面に、側面より水平方向に突出した固定板４９が一体化されている。
【００１７】
このような構造を有するスライダ受け部４１を、光路穴４５が光軸と一致し、受け部本体４３の長手方向が光軸と直交し、さらにスライダ受け部４１のスライダ挿入口が顕微鏡本体部１の側面側に向くようにして、その固定板４９を顕微鏡本体部１の固定部に対してビス５１で固定する。なお、顕微鏡本体部１には、スライダ受け部４１のスライダ挿入口に対応する箇所にスライダ４２を出し入れするための操作窓が形成されている。
【００１８】
スライダ４２は、受け部本体４３のスライダ摺動路の断面形状に対応した四角柱形状を有しており、スライダ挿入口から受け部本体４３のスライダ摺動路へ挿入される。スライダ４２の側面には、写真マスクが嵌め込まれる開口部５２ａと、光路長補正用のダミーガラスが嵌め込まれる開口部５２ｂとが形成されている。また、スライダ４２の上面には、各開口部５２ａ，５２ｂに対応してクリック溝５３ａ，５３ｂが形成されている。クリック溝５３ａにクリックボール４８が係合しているとき開口部５２ａがスライダ受け部４１の光路穴４５の位置に配置され、クリック溝５３ｂにクリックボール４８が係合しているとき開口部５２ｂがスライダ受け部４１の光路穴４５の位置に配置されるように、各開口部５２ａ，５２ｂと各クリック溝５３ａ，５３ｂとの相対位置が調整されている。また、スライダ４２の挿入端と対向する端部には当該スライダを操作する際のつまみとなる窪み５４が形成されている。
【００１９】
次に、以上のように構成された本実施例の動作について説明する。
顕微鏡本体部１の側面よりスライダ４２を本体部内に挿入し、スライダ受け部４１のスライダ挿入口から当該受け部内にスライダ４２を挿入する。スライダ受け部４１に対してスライダ４２を挿入すると、スライダ４２の開口部５２ｂがスライダ受け部４１の光路穴４５と重なったところで、板バネ４６に付勢されたクリックボール４８がスライダ４２の溝５３ｂに落とし込まれてスライダ４２がその位置にクリックされる。
【００２０】
本実施例ではスライダ４２の開口部５２ｂにはダミーガラス板を嵌め込んでいるので、光路上に写真マスクを挿入しない状態での観察の場合には、この状態が選択される。
【００２１】
光路上に写真マスクを挿入する場合は、スライダ４２を板バネ４６の付勢力に応じた係止力に抗して押し込む。スライダ４２を押す力が係止力を越えるとスライダ４２が移動を開始し、クリックボール４８がスライダ４２の溝５３ａから脱したところで係止力が小さくなる。さらにスライダ４２を押し続けると、スライダ４２の開口部５２ａがスライダ受け部４１の円形光路穴４５と重なったところで、板バネ４６に付勢されたクリックボール４８がスライダ４２の溝５３ａに落とし込まれてスライダ４２がその位置にクリックされる。
【００２２】
本実施例ではスライダ４２の開口部５２ａには写真マスクを嵌め込んでいるので、この状態が写真マスクを光路上に挿入した状態となる。
また、写真マスク若しくはダミーガラス板が汚れた場合、又は写真マスクと異なる焦点板を備えたスライダに交換する場合は、スライダ４２をスライダ受け部４１のスライダ挿入口から引き出し、そのスライダ挿入口に対面している顕微鏡本体部１の操作窓からスライダ４２を取り出す。その取り出したスライダ４２は清掃し、又は別のスライダを顕微鏡本体部１の操作窓からスライダ受け部４１のスライダ挿入口へ差し込み、任意の位置まで押し込む。
【００２３】
このように本実施例によれば、顕微鏡本体部１の光軸上における一次像形成位置にスライダ受け部４１を設置し、そのスライダ受け部４１に対して写真マスク，ダミーガラス板を備えたスライダ４２を挿脱自在にし、係止機構によるクリック動作により光路上に写真マスク，ダミーガラス板を選択的に位置決めできるようにしたので、他のレンズ等の移動を伴わなわずにスライダ４２で写真マスク，ダミーガラス板を交換することができ、レンズの移動による光学性能を劣化を防止することができる。
【００２４】
本実施例によれば、スライダ４２が顕微鏡本体部１から挿脱自在となるため、写真マスク，ダミーガラス板に付着する汚れを容易に取り除くことができ、また写真マスクと異なる焦点板を備えたスライダに交換することも簡単にできる。
【００２５】
次に、本発明の他の実施例について説明する。
図４は、本実施例に係る倒立型光学顕微鏡の全体構成を示す図である。なお、上述した図１に示す顕微鏡と同一機能を有する部分には同一符号を付している。
【００２６】
本実施例は、顕微鏡本体部１の内部の対物レンズ２３の光軸上に分割プリズム２４、及び反射鏡６１が直列に配置されている。反射鏡６１は分割プリズム２４を透過した光を机上面に対して４５度の角度で反射している。反射鏡６１で反射した光は光軸上において一次像２６を形成する。この一次像２６を一体型の支持部材６２に支持されたリレーレンズ系６３によって観察部２９へ導いている。支持部材６２の先端部であって、一次像２６の形成位置にスライダ装置６４が取り付けられている。
【００２７】
スライダ装置６４は、図５に示すスライダ受け部６５と、図６及び図７に示すスライダ６６等から構成されている。なお、図５（ａ）はスライダー受け部から支持部材を取り外した状態の斜視図、図５（ｂ）はスライダ受け部を一部破断してリレーレンズ系側から見た示す平面図である。
【００２８】
スライダ受け部６５は、長方形状をなす受け部本体７１の長辺側の両辺がそれぞれ同方向にＬ字型になっており、スライダ６６のガイドが形成されている。スライダ受け部６５の上面には板バネ７３の基端部がビス７４で固定され、その先端部にクリックボール７５が固着されている。受け部本体７１の上面であって上記クリックボール７５が対向する位置に該クリックボール７５をガイド側へ突出させる開口部が形成されている。また受け部本体７１の上面であって板バネ７３よりもスライダ挿入口側に先端部７６ａがＬ字型に曲げられた板状の弾性体７６がビスで固定されている。
【００２９】
受け部本体７１は、スライダガイド６６の形成面の反対側に位置する背面に、円柱状の支持部材６２の先端部が嵌合する凸部７１ａが一体形成されている。凸部７１ａは支持部材６２の先端部が隙間なく挿入される嵌合穴７１ｂが上記光路穴７２と同心的に形成されており、嵌合穴７１ｂの先端に突き当て面７１ｃが形成されその中心部に光路穴７２が現れている。この嵌合穴７１ｂに挿入される支持部材６２の先端部外周にはＶ溝６２ａが形成されている。一方、凸部７１ａの左右の側面には、突き当て面７１ｃからの距離が支持部材６２の端面とＶ溝中心との間の距離よりも若干短い位置に、片側２箇所、反対側１箇所の止めねじ穴７１ｄが形成されている。３つの止めねじ穴７１ｄには、先端が９０度の円錐形に形成された止めねじ７１ｅがそれぞれ螺入されていて、それら各先端が支持部材６２のＶ溝６２ａに押圧されている。なお、片側の２箇所の止めねじ穴７１ｄから挿入される止めねじ７１ｅは支持部材６２に対しその中心を挟んだ上下対称位置に突き当てられ、反対側の１箇所の止めねじ穴７１ｄから挿入される止めねじ７１ｅは支持部材６２の中心に突き当てられる。
【００３０】
弾性体７６は、図６に示すようにスライダ６６がクリックボール７５で位置決めされているとき（同時に写真マスク又はダミーガラス板が光路上に固定される）、スライダ６６の右上の角に僅かの隙間を空けるように調整されている。尚、弾性体７６の力量は板バネ７３の２倍程度に設定している。
【００３１】
受け部本体７１の挿入端側の側面にストッパピン７７が取り付けられている。このストッパピン７７は、スライダ６６の開口部８２ｂが光路上にクリックボール７５で位置決めされているとき、スライダ６６の左端面と僅かの隙間を空けるように調整されている。
【００３２】
一方、スライダ６６は、スライダ受け部６５のガイドを摺動可能な形状に加工されたスライダ本体８１を備えている。スライダ本体８１には２つの開口部が形成されており、例えば一方の開口部８２ａには写真マスクが嵌め込まれ、他方の開口部８２ｂはダミーガラス板が嵌め込まれる。開口部８２ａ，８２ｂに対応して溝８３ａ，８３ｂが形成されている。スライダ６６の移動方向の長さは、開口部８２ａが光路穴７２と一致した状態のとき、スライダ６６の挿入端に対向する端部が弾性体７６の先端部７６ａを右上の角に僅かの隙間を空けるように設定されている。
【００３３】
このスライダ本体８１の一端部につまみ軸８４の一端が固定されている。つまみ軸８４の他端には顕微鏡本体外へ突出するつまみ８５が設けられている。つまみ軸８４には、顕微鏡本体２１に対する防塵のための防塵ワッシャ８６と、鉄等の磁性体からなり外観で表示等を示す蓋体８７とがつまみ軸８４と同軸に入れられている。
【００３４】
顕微鏡本体２１の外面には、スライダ受け部６５のスライダ挿入口に対応する位置にスライダ摺動部のスライダ挿入口よりも大きい直径の陥凹部９１が形成されている。陥凹部９１のスライダ挿入口に対応する領域に本体内に貫通する操作窓９２が形成されている。この操作窓９２に対して本体内部側からスライダ受け部６５のスライダ挿入口が対面するように両者の位置関係が設定されている。
【００３５】
陥凹部９１に対して操作窓９２に対応した形状の長円９３ａを有するスライダガイド９３が嵌合されている。スライダガイド９３には長円９３ａに対応した形状の開口９４ａを有する板状の磁石９４が取り付けられている。尚、開口９４ａはその中心部が防塵ワッシャ８６の外形と一致した形状に加工されている。
【００３６】
顕微鏡本体２１には、スライダー装置６４の組み付け位置よりも接眼部側の両側面に受け部本体７１を挿入できる大きさの丸穴９５が設けられている。この丸穴のある部分の顕微鏡本体の幅は、スライダー装置６４の横幅より若干広い程度である。
【００３７】
ここで、本実施例による組み立て順序について説明する。
先ず、中間鏡筒３１を顕微鏡本体２１に対して光軸に沿って差し込む。次に、顕微鏡本体２１の丸穴９５からスライダ受け部６５を挿入する。
【００３８】
次に、受け部本体７１の嵌合穴７１ｂに中間鏡筒３１の先端にある支持部材６２を挿入する。嵌合穴７１ｂの突き当て面７１ｃに支持部材６２の端面を突き当てた状態で３箇所の止めねじ穴７１ｄに止めねじ７１ｅを螺入し、支持部材６２と受け部本体７１とを固定する。このとき、止めねじ穴７１ｄと支持部材６２は上記した位置関係にあることから、止めねじ７１ｅを締め付けるだけでその先端がＶ溝６２ａに噛み込んで支持部材６２が受部本体７１の突き当て面７１ｃに押し付けられる。従って、支持部材６２と受け部本体７１とは常に同じ位置関係で固定される。
【００３９】
次に、中間鏡筒３１とスライダー受け部６５の一体物を光軸に沿ってさらに差し込み、所定の位置で顕微鏡本体２１に固定する。スライダー受け部６５を挿入した丸穴９５にはカバー板（不図示）を取り付け外光及び塵の侵入を防ぐ。
【００４０】
次に、以上のように構成された本実施例の動作について説明する。
顕微鏡本体２１の操作窓９２からスライダ６６のスライダ本体８１を挿入すると、そのスライダ本体８１が、操作窓９２から連続するスライダ受け部６５のスライダ挿入口に差し込まれる。このとき、受け部本体７１のスライダ挿入口に弾性体７６の先端部７６ａが掛かっているので、先端部７６ａをスライダ本体８１の先端で上側へ押し上げる力が必要となる。
【００４１】
顕微鏡本体２１の外部からつまみ８５及びつまみ軸８４を介してスライダ６６を弾性体７６の力量に抗して押し込むと、スライダ本体８１がスライダ摺動路上を移動し、開口部８２ａがスライダ受け部６５の光路穴７２と一致したときにクリックボール７５が開口部８２ａに対応したクリック溝８３ａに落ち込むことによりスライダ６６がその位置に固定される。このとき、スライダ本体８１で押し上げられていた弾性体７６の先端部７６ａが、スライダ本体８１の端面に対し僅かの隙間が生じるような状態へと変化する。
【００４２】
本実施例では開口部８２ａに写真マスクを嵌め込むため写真マスクが一次像の形成位置に挿入されたことになる。
なお、スライダ６６を挿入する際、本体側の磁石９４と蓋体８７とを防塵ワッシャ８６を介して磁力で接合されることにより、操作窓２３に対して防塵ワッシャ８６が確実に付着する。
【００４３】
写真マスクからダミーガラス板に交換する場合は、顕微鏡本体２１の外部からつまみ８５をさらに押し込むことになる。スライダ６６を押し込むと、板バネ７３により付勢されたクリックボール７５の押圧力だけとなる。スライダ本体８１がスライダ摺動路上を移動し、開口部８２ｂがスライダ受け部６５の光路穴７２と一致したときにクリックボール７５が開口部８２ｂに対応したクリック溝８３ｂに落ち込むことによりスライダ６６がその位置に固定される。この状態でダミーガラス板が一次像形成位置に挿入されたことになる。
【００４４】
スライダ６６をさらに押し込む方向に操作すると、スライダ６６の挿入端面がストッパピン７７に当接して同方向への挿入が規制される。一方、写真マスク等に付着した汚れの除去、又はスライダ自体の交換のためにスライダ６６を顕微鏡本体から取り出す場合は、弾性体７６の力量に抗してつまみ８５を引くことになる。スライダ６６の端面が顕微鏡本体２１の側面に到達すると、防塵ワッシャ８６に当たる。磁石９４と蓋体８７との磁力よりも大きな力でつまみ８５を引くことにより磁石９４と蓋体８７との結合が解除され、スライダ６６がスライダガイド９３の操作窓９３ａから取り出されることになる。
【００４５】
このように本実施例によれば、光学系の一次像形成位置に設けられたスライダ受け部６５に対して挿入されるスライダ６６につまみ軸８４を介して顕微鏡本体２１の外部へ出されたつまみ８５を設けたので、顕微鏡本体２１の外部からスライダ６６を操作することができ、レンズの移動を伴うことなく写真マスク，ダミーガラス板の切換えが可能で、光学性能の劣化を防止することができる。
【００４６】
本実施例によれば、スライダ６６の位置決めを行うクリック機構の他に弾性体７６を設けたので、写真マスクとダミーガラス板の交換時の力量と、スライダ交換時の力量とを異ならせることができ、マスク切換とスライダ交換の動作を手の感覚で区別して確実な操作を行うことができる。
【００４７】
本実施例によれば、リレーレンズ系６３を中間鏡筒３１と一体型の支持部材６２に保持し、この支持部材６２の先端部をスライダ受け部６５の嵌合穴７１ｂに挿入してＶ溝嵌合で両者を固定しているので、中間鏡筒３１とスライダー受け部６５との固定を位置調整なしに一義的に決めることができる。そのため、受け部本体７１の嵌合穴を基準として光路穴７２、スライダー挿入部、板バネ７３を調整すれば、スライダー装置６４を顕微鏡本体２１に組み付けた時の位置関係が決まるので、リレーレンズ系６３、さらには顕微鏡光学系全体に対する光学的精度の向上及び組み立て性の改善を図ることができる。また、リレーレンズ系６３の支持部材６２は、顕微鏡本体２１に対し光学的調整を行い固定されるので、光学系全体に対する写真マスクの光学的精度も出しやすいという利点がある。
【００４８】
本実施例によれば、スライダ６６に取り付けられたつまみ軸８４と同軸に入れられた防塵ワッシャ８６により顕微鏡本体２１への防塵効果を奏することができ、また磁石による結合により防塵ワッシャ８６で蓋をするので操作性を害する問題もない。
【００４９】
なお、以上の説明では倒立型光学顕微鏡に適用した例を説明したが、正立型顕微鏡に適用することもできる。
本発明は上記実施例に限定されるものではなく、本発明の要旨を逸脱しない範囲内で種々変形実施可能である。
【００５０】
【発明の効果】
以上詳記したように本発明によれば、写真マスクの挿脱による光学性能の劣化が少なく、写真マスクを簡単に交換可能で、メンテナンス性に優れた顕微鏡の写真マスクスライダ装置を提供できる。
【図面の簡単な説明】
【図１】本発明の一実施例に係る倒立型光学顕微鏡の全体構成図である。
【図２】図１の倒立型光学顕微鏡に備えたスライダ受け部の斜視図である。
【図３】図１の倒立型光学顕微鏡に備えたスライダの斜視図である。
【図４】本発明の他の実施例に係る倒立型光学顕微鏡の全体構成図である。
【図５】図４の倒立型光学顕微鏡に備えたスライダ受け部の斜視図及び平面図である。
【図６】図４の倒立型光学顕微鏡に備えたスライダ受け部にスライダを挿入した状態の側面図である。
【図７】図４の倒立型光学顕微鏡における顕微鏡本体とスライダとの関係を示す図である。
【図８】従来の顕微鏡接眼レンズの構成図である。
【図９】従来の写真撮影機能を備えた顕微鏡の構成図である。
【符号の説明】
２１…顕微鏡本体部、２３…対物レンズ、２６…一次像、２７，６２…リレーレンズ系、２９…観察部、４０，６４…スライダ装置、４１，６５…スライダ受け部、４２，６５…スライダ、４５，７２…光路穴、４６，７３…板バネ、４８，７５…クリックボール、７６…弾性体、８４…つまみ軸、８５…つまみ、８６…防塵ワッシャ、９３…スライダガイド。
【図１】
0003556289.tif 000002
【図２】
0003556289.tif 000003
【図３】
0003556289.tif 000004
【図４】
0003556289.tif 000005
【図５】
0003556289.tif 000006
【図６】
0003556289.tif 000007
【図７】
0003556289.tif 000008
【図８】
0003556289.tif 000009
【図９】
0003556289.tif 000010